(57)【要約】【課題】電子機器への取り付けが容易で、電子ペンを確実に保持することができ、電子ペンが装着されていない場合には使用の邪魔にもならないペンホルダーユニットを実現する。【解決手段】変形可能なシート状材料により形成されたホルダー部１０の被挟持部１２が第１板部２１と第２板部２２とで挟持されて挿入部２０に取り付けられ、ペンホルダーユニット１を構成する。挿入部２０を電子機器の装填口に挿入すれば、ペンホルダーユニット１を電子機器に取り付けられる。ホルダー部１０の筒状部１１に電子ペンを挿入すると、筒状部１１の内側の部分と電子ペンの側面とが密接に接触し電子ペンを保持する。電子ペンが挿入されていない状態では、筒状部１１は容易に変形し邪魔にならない。【選択図】図２
2020095312.tif 000002
【特許請求の範囲】
【請求項１】
電子ペンによる指示入力が可能な電子機器に対して、前記電子ペンを取り付けるようにするためのペンホルダーユニットであって、
変形可能なシート状材料の対向する端部部分を重ね合わせることにより形成され、前記電子ペンが挿入される筒状部と前記端部部分が重ね合わされた被挟持部とからなるホルダー部と、
第１板部と第２板部とからなり、前記ホルダー部の前記被挟持部を前記第１板部と前記第２板部とで挟持して保持し、前記電子機器の装着口に挿入される挿入部と
を備えることを特徴とするペンホルダーユニット。
【請求項２】
請求項１に記載のペンホルダーユニットであって、
前記ホルダー部は、柔軟性のあるシート状材料により構成とされていることを特徴とするペンホルダーユニット。
【請求項３】
請求項１に記載のペンホルダーユニットであって、
前記ホルダー部は、布製であることを特徴とするペンホルダーユニット。
【請求項４】
請求項１に記載のペンホルダーユニットであって、
前記挿入部は、前記電子機器の前記装着口に挿入された後に置いて、前記装着口から取り外すこともできるようにされていることを特徴とするペンホルダーユニット。
【請求項５】
請求項４に記載のペンホルダーユニットであって、
前記挿入部には、前記電子ペンの交換可能な芯体の格納部と前記電子ペンの交換可能な芯体を前記電子ペンから取り外す場合に使用する芯抜き部との一方または両方が設けられていることを特徴とするペンホルダーユニット。
【請求項６】
請求項４に記載のペンホルダーユニットであって、
前記挿入部には、前記電子ペンの交換可能な芯体の格納部が設けられており、前記格納部の側面側には、格納された芯体の後端部を押圧し、格納部から芯体を押し出すようにするための穴部が設けられていることを特徴とするペンホルダーユニット。
【請求項７】
請求項１に記載のペンホルダーユニットであって、
前記挿入部の長手方向の幅は、前記ホルダー部の長手方向の幅よりも長いことを特徴とするペンホルダーユニット。
【請求項８】
請求項１に記載のペンホルダーユニットであって、
前記ホルダー部は、前記挿入部に挟持されている前記被挟持部を支点として、前記挿入部側へ回動可能になっていることを特徴とするペンホルダーユニット。
【発明の詳細な説明】
【技術分野】
【０００１】
この発明は、例えばタブレットＰＣ（Personal Computer）などの、電子ペンによる指示入力が可能な電子機器に対して、電子ペンを取り付けておくことができるようにするためのペンホルダーユニットに関する。
【背景技術】
【０００２】
比較的に大きな表示画面を有する、例えばＬＣＤ（Liquid Crystal Display）などの薄型の表示装置と、位置検出センサとを備えたタブレットＰＣなどの電子機器が広く利用されるようになってきている。この様な電子機器に対しては、いわゆる電子ペンを用いることによって細かな指示入力を行うことができるものも多い。そして、タブレットＰＣなどの電子機器は、表示画面の傾きを変えて、作業しやすい姿勢となるようにして利用される。また、持ち運ばれて使用者（ユーザ）が手に持ったままの状態で使用される場合もある。
【０００３】
このため、電子ペンを使用していない場合に、電子ペンをタブレットＰＣなどの電子機器の操作面上に置いておくことは事実上不可能であり、電子ペンを使用していない場合の安定した置き場所を特別に設ける必要がある。主に机上で用いられるタブレットＰＣなどの場合には、電子ペン専用のペン立てが用いられている場合がる。また、持ち運ばれて使用されることの多いタブレットＰＣなどの場合には、当該タブレットＰＣなどの電子機器に対して電子ペン用のペンホルダーを取り付けることが考えられてきた。
【０００４】
例えば、後に記す特許文献１には、携帯用情報機器の小型化・薄型化に影響を及ぼすことなくペンを保持することができ、しかも高い汎用性を得ることができるペンホルダー等に関する発明が開示されている。特許文献１に開示されたペンホルダーは、電子機器のＵＳＢ雌コネクタに接続可能にされた雄コネクタの形状であって樹脂製部品の接続部（３４）と、ゴム材料で形成されたペン保持部（３６）とからなるものである。
【先行技術文献】
【特許文献】
【０００５】
【特許文献１】特開２０１６−１５７３８０号公報
【発明の概要】
【発明が解決しようとする課題】
【０００６】
特許文献１に開示されたペンホルダーの場合、特許文献１に開示された図面からも分かるように、ペン保持部３６は直方体形状で、電子ペンを立てた状態でも保持可能なものであり、ある程度の硬質性を備えたものである。このため、特許文献１に開示されたペンホルダーの場合には、これが接続される電子機器の使用の邪魔になる場合があると考えられる。また。ペン保持部（３６）部分を周囲の障害物にぶつけるなどする可能性もあり、この場合には、ペンホルダーを破損させしまう可能性があると考えられる。
【０００７】
そこで、容易に破損することがないように、例えば硬質樹脂によって形成した筒状体をペンホルダーとしてタブレットＰＣなどの電子機器に取り付けることが考えられる。しかし、硬質樹脂の筒状体の場合、滑りやすく、電子ペンをしっかりと保持できない場合がある。特に電子機器を持ち運ぶような場合には、当該筒状体に差し込んだ電子ペンがすっぽ抜けてしまう場合があると考えられる。
【０００８】
このため、例えば布製の筒状体を電子機器に対して取り付けて構成するペンホルダーが考えられる。布製のペンホルダーであれば、多少伸び縮みすることもあり、差し込んだ電子ペンが容易にすっぽ抜けることもない。また、布製のペンホルダーの場合、電子ペンが差し込まれていないときには、容易に変形することができるので、使用の邪魔になったり、ぶつけるなどして破損したりすることもない。
【０００９】
しかし、布製のペンホルダーは、容易に変形し、硬質樹脂のような強度もないので、電子機器に対して外れることがないように強固に取り付けるのは難しい。このため、布製のペンホルダーは、電子機器の製造工程の中で電子機器に対して直接に強固に固定することが考えられる。この場合、電子機器の製造工程において、ペンホルダーの取り付け工程が増えてしまう。また、ペンホルダーが必要ない使用者にもペンホルダー付きの電子機器が提供されてしまうし、また、必要になってからペンホルダーを取り付けたいと考える使用者の要求にも答えられない。
【００１０】
以上のことに鑑み、この発明は、電子機器への取り付けが容易で、電子ペンを確実に保持することができ、かつ、電子ペンが装着されていない場合には使用の邪魔になることもないペンホルダーユニットを実現することを目的とする。
【課題を解決するための手段】
【００１１】
上記課題を解決するため、
電子ペンによる指示入力が可能な電子機器に対して、前記電子ペンを取り付けるようにするためのペンホルダーユニットであって、
変形可能なシート状材料の対向する端部部分を重ね合わせることにより形成され、前記電子ペンが挿入される筒状部と前記端部部分が重ね合わされた被挟持部とからなるホルダー部と、
第１板部と第２板部とからなり、前記ホルダー部の前記被挟持部を前記第１板部と前記第２板部とで挟持して保持し、前記電子機器の装着口に挿入される挿入部と
を備えることを特徴とするペンホルダーユニットを提供する。
【００１２】
このペンホルダーユニットによれば、変形可能なシート状材料により形成されたホルダー部の被挟持部が、第１板部と第２板部とで挟持されることにより、これらの板部によって構成される挿入部に取り付けられる。これにより、挿入部を電子機器の装填口に挿入するだけで電子機器に取る付けることができるペンホルダーユニットが実現できる。また、ホルダー部は、変形可能なシート状材料により形成されている。これにより、ホルダー部の筒状部に電子ペンが挿入されると、当該筒状部は多少伸び縮みするので筒状部の内側の面が電子ペンの側面と密接に接触し、挿入された電子ペンを筒状部に置いて確実に保持できる。また、ホルダー部の筒状部は、電子ペンが差し込まれていない状態では、何かに当たっても容易に変形するので、邪魔になったり、破損したりすることもない。
【図面の簡単な説明】
【００１３】
【図１】実施の形態のペンホルダーユニットが用いられる電子機器の外観図である。
【図２】実施の形態のペンホルダーユニットの正面側から見た場合の斜視図と背面側から見た場合の斜視図である。
【図３】実施の形態のペンホルダーユニットの正面図と背面図である。
【図４】実施の形態のペンホルダーユニットの底面図である。
【図５】実施の形態のペンホルダーユニットの挿入部に設けられる芯抜き部と替え芯の格納部について説明するための図である。
【発明を実施するための形態】
【００１４】
以下、図を参照しながらこの発明によるペンホルダーユニットの実施の形態について説明する。図１は、この実施の形態のペンホルダーユニット１が用いられる電子機器３の外観図である。電子機器３は、比較的に大きな表示画面を有するＬＣＤなどの薄型の表示装置３１と、当該表示画面の全面に対応した位置検出センサ３２とが搭載され、電子ペン２による指示入力が可能なタブレットＰＣなどとよばれる情報処理装置である。
【００１５】
使用者は、電子ペン２による指示入力がしやすいように、電子機器３を机などの上に傾けて配置して使用したり、また、携帯して手に持ったまま使用したりする。従来、電子ペン２を使用していない場合には、電子ペン２を、電子機器３の近傍に置いておいたり、使用者のポケットや鞄などに入れておいたりしていた。これでは、電子ペン２を紛失したり、迅速に取り出せなかったりする場合がある。
【００１６】
そこで、電子機器３には、ペンホルダーユニット１を装着するための装着口が設けられている。そして、図１に示すように、ホルダー部１０と挿入部２０とからなるペンホルダーユニット１を構成し、当該挿入部２０を電子機器３の装着口に挿入するだけで、ペンホルダーユニット１を電子機器３に対して装着できるようにしている。そして、電子機器３に装着されたペンホルダーユニット１のホルダー部１０に電子ペン２を差し込んでおけば、電子ペン２を簡単かつ確実に電子機器３に対して装着できる。
【００１７】
これにより、電子ペン２を使用していない場合にが、電子ペン２をペンホルダーユニット１のホルダー部１０に差し込んでおくことにより、電子ペン２を常に電子機器３に対して安定して付随させておくことができる。これにより、電子ペン２を紛失したり、電子ペン２を迅速に取り出せなかったりするといった不都合を解消できる。以下、この実施の形態のペンホルダーユニット１の構成について具体的に説明する。
【００１８】
図２は、ペンホルダーユニット１を正面側から見た場合の斜視図（図２（Ａ））と背面側から見た場合の斜視図（図２（Ｂ））である。また、図３は、ペンホルダーユニット１の正面図（３（Ａ））と背面図（図３（Ｂ）である。また、図４は、ペンホルダーユニット１の底面図である。図２〜図４に示すように、この実施の形態のペンホルダーユニット１は、ホルダー部１０と挿入部２０との２つの部分から構成される。
【００１９】
ホルダー部１０は、図３および図４に示すように、変形可能なシート状材料の対向する端部部分を重ね合わせることにより、筒状になった筒状部１１と、当該端部部分が重ね合わせられて板状になった被挟持部１２とからなる。筒状部１１は、電子ペン２が差し込まれて、これを保持する部分となる。被挟持部１２は、後述する挿入部２０に取り付けるための部分となる。
【００２０】
この実施の形態において、ホルダー部１０を形成する変形可能なシート状材料は、例えば長方形状のものである。そして、当該シート状材料について、折り目を付けずに長辺を二つ折りにするようにして対向する短辺の位置を揃え、当該短辺から所定の長さ分（例えば６〜７ｍｍ程度）を重ね合わせた部分を形成する。これにより、上述したように、筒状部１１と被挟持部１２とからなるホルダー部１０が形成される。
【００２１】
なお、図３、図５を見ると分かるように、挿入部２０の長手方向の長さ（長辺の長さ）は、ホルダー部１０の電子ペン２が抜き差しされる方向（長手方向）の長さよりも長くされている。これにより、挿入部２０が、ホルダー部１０の被挟持部１２の長手方向の全体を挟持することができる。従って、ホルダー部１０の筒状部１１の開口の位置が、挿入部２０に対してずれ電子ペンが挿入し難くなるといった不都合を防止することができる。
【００２２】
この場合、ホルダー部１０の筒状部１１は、図１に示したように、これに差し込まれる電子ペン２の一番太い部分の直径よりも短い直径を有するものとされている。これにより、電子ペンを筒状部１１に簡単に差し込むことができ、また、差し込まれた電子ペン２が筒状部１１から簡単に抜け落ちてしまうことがない。また、ホルダー部１０は変形可能なシート状材料で形成されているので、電子ペン２を差し込むと筒状部１１は若干伸び縮みし、筒状部１１の内側の面と電子ペン２の側面とで密着する部分が生じ、電子ペン２を安定に筒状部１１に保持できる。
【００２３】
また、シート状材料が重ね合わせられて形成された被挟持部１２の筒状部１１の電子ペン２が抜き差しされる方向に交差する方向の長さは、この実施の形態においては、上述したように例えば６ｍｍ〜７ｍｍ程度とされている。しかし、これに限るものではない。被挟持部１２の重ね合わせ部分の長さは、詳しくは後述する挿入部２０に対して、強固に固定可能な適宜の長さとされる。
【００２４】
なお、ホルダー部１０を形成する変形可能なシート状材料は、柔軟性（Flexibility）を備えたシート状の材料であればよい。具体的には、布（合成繊維や天然繊維が用いられて織られた織物）、合成皮革、天然皮革、フェルト（不織布）、合成ゴム、天然ゴム、ビニールなどを用いることができる、すなわち、ホルダー部１０を形成する変形可能なシート状材料は、柔軟性と容易に裂けることのないある程度の強度を備えた種々の材料をシート状にしたものであれば、これを用いることができる。この実施の形態において、ホルダー部１０は、布製のものである。
【００２５】
挿入部２０は、図１を用いて説明したように、電子機器３に設けられた装着口に対して挿入されることにより、ペンホルダーユニット１を電子機器３に装着する機能を実現する。挿入部２０は、図２に示したように、硬質材料により形成された２枚の板部である第１板部２１と第２板部２２とからなる。第１板部２１は長方形状の板状体であるが、図２（Ａ）に示したようにその両方の短辺部分をＬ字状（鉤状）に形成して側壁を設けた形状を有する。当該側壁の内側面は平坦であるが、外側面は円弧状に丸みを帯びている。
【００２６】
第２板部２２は、第１板部２１とは異なり、図２（Ａ）に示したように、側壁を備えない１枚の長方形状の平坦な板状体ある。第２板部２２の短辺の長さは第１板部２１の短辺の長さと同じであるが、第２板部２２の長辺の長さは、第１板部２１の両方の短辺側の側壁間の長さ（一方の側壁の内側面から他方の側壁の内側面までの長さ）よりも若干長くされている。
【００２７】
そして、図２（Ａ）に示したように、第１板部２１の側壁間に、第２板部２２を対応する長辺と短辺とを合わせて重ね合わせるようにして押し込むと、第２板部２２は、第１板部２１の両方の短辺側に設けられている側壁間に挟み込まれて嵌合する。これにより、第１板部２１と第２板部２２とが容易には離れることがない挿入部２０が形成される。実際には、図２〜図４に示したように、ホルダー部１０の被挟持部１２が、挿入部２０を構成する第１板部２１と第２板部２２との間に挟持される。これにより、ホルダー部１０が挿入部２０に取り付けられ、ホルダー部１０と挿入部２０とからなるペンホルダーユニット１が構成される。
【００２８】
なお、挿入部２０を構成する第１板部２１と第２板部２２とは、硬質樹脂や金属などによって形成できる。硬質樹脂としては、ポリ塩化ビニール樹脂、ポリプロピレン樹脂、ポリエチレン樹脂などの硬質化した状態で所定の硬度を有する種々のものを用いることができる。また、第１板部２１と第２板部２２との対向面、第１板部２１と被挟持部１２の対向面、第２板部２２と被挟持部１２の対向面は、接着剤により接着してもよい。
【００２９】
また、第１板部２１と第２板部２２との一方には突起を設け、他方には当該突起に嵌合する穴部をもうけ、突起を穴部に嵌合させて、第１板部２１と第２板部２２とを離れないようする構成を用いることもできる。この場合、突起と穴部の形状は種々の態様とすることができる。
【００３０】
そして、ホルダー部１０は、上述もしたように、変形可能なシート状材料により形成されている。このため、図４において矢印が示すように、第１板部２１と第２板部２２とで挟まれた被挟持部１２と筒状部１１との境界部分（接合部分）を中心にして、筒状部１１は上方向と下方向とのそれぞれに回動可能となる。これにより、図１に示したように、電子機器３にペンホルダーユニット１が装着され、更にペンホルダーユニット１のホルダー部１０に電子ペン２が差し込まれているときに、電子ペン２対して多少の外力が加わっても、当該外力を逃がすことができる。
【００３１】
このようにして、ホルダー部１０と挿入部２０とからなり、挿入部２０を電子機器３の装着口に挿入するだけで簡単に装着できるペンホルダーユニット１が実現できる。また、ペンホルダーユニット１は、電子機器３の装着口から取り外すこともできるようになっている。そこで、この実施の形態のペンホルダーユニット１の場合には、ペンホルダーユニット１の挿入部２０に対して、電子ペン２の替え芯に関する工夫がなされている。具体的には、ペンホルダーユニット１の挿入部２０に芯抜き部と替え芯格納部を設けている。
【００３２】
図５は、ペンホルダーユニット１の挿入部２０に設けられる芯抜き部と替え芯格納部について説明するための図である。電子ペン２は、これに用いられている芯体２Ｘの交換が可能なものである。芯体２Ｘは、図５の下側に芯体２Ｘ（３）として示したように、芯棒２ａとペン先２ｂとからなる。芯体２Ｘが電子ペン２に装着されると、ペン先２ｂを電子機器３の表示画面に対応して設けられた保護ガラス上（操作面上）に接触させることにより、また、接触させた状態で移動させることにより、指示入力を行うことになる。従って、芯体２Ｘのペン先２ｂはすり減ってしまうため、細かな指示入力を適切に行うためには、芯体２Ｘを適宜のタイミングで交換する必要がある。
【００３３】
芯体２Ｘは、例えば、芯棒２ａの直径が２ｍｍ以下で、芯棒２ａとペン先２ｂとを含めた長さが２ｃｍ以下といった細くて短いものである。芯体２Ｘは、容易に外れてしまうことがないように電子ペン２内に装着されるが、細くて短い芯体２Ｘを交換する場合には手間をかけることなく簡単に取り外せることが望ましい。また、いわゆるシャープペンシルの替え芯と同様に、替え芯として用いられる細くて短い芯体２Ｘを、紛失することなく、また、破損することなく、いつでも使用できるように使用者が保持しておこくとは難しい。そこで、この実施の形態のペンホルダーユニット１においては、挿入部２０に芯抜き部と替え芯格納部とを設けている。
【００３４】
芯抜き部は、図２（Ａ）、図３（Ａ）にも示し、また、図５にも拡大して示すように、円形の穴部２３と金属板２３ａとからなる。穴部２３は、挿入部２０の第１板部２１と第２板部２２とに渡って同じ位置に設けられたものである。金属板２３ａは、穴部２３の直径よりも大きな直径を有し、かつ、中央に貫通孔を有するドーナツ形状のものである。この金属板２３ａを、金属板２３ａの貫通孔が穴部２３の中央に位置するようにして第１板部２１と第２板部２２とによって挟み込んで固定することにより、芯抜き部を構成する。この芯抜き部の金属板２３ａの貫通穴に電子ペン２に装着されている芯体２Ｘのペン先２ｂを差し込んで引っ掛けてから引き出すようにすることで、芯体２Ｘを電子ペン２から簡単に引き抜くことができる。
【００３５】
また、替え芯格納部は、図２（Ａ）、図３（Ａ）にも示し、また、図５に拡大して示すように、まず、挿入部２０の第１板部２１と第２板部２２とに渡って同じ位置に楕円形の穴部２４を設ける。この穴部２４は、使用者の指先などが入り込める程度の大きさ（面積）を有する。そして、図５において点線で示すように、挿入部２０の底面（短辺側の面）から穴部２４に向かって替え芯としての芯体２Ｘを格納するための貫通孔２５ａ、２５ｂ、２５ｃを設ける。このように、穴部２４と貫通孔２５ａ、２５ｂ、２５ｃとによって、替え芯格納部が構成される。
【００３６】
そして、貫通孔２５ａ、２５ｂ、２５ｃのそれぞれに替え芯としての芯体２Ｘ（ａ）、２Ｘ（２）、２Ｘ（３）を挿入して格納しておく。替え芯が必要な場合には、電子機器３の装着口に装着されているペンホルダーユニット１を取り外す。そして、挿入部２０の穴部２４に使用者の指先などを挿入し、目的とする芯体２Ｘ（１）、２Ｘ（２）、２Ｘ（３）の芯棒２ａの後端部端部を底面側に押し出すようにする。これにより、目的とする替え芯が貫通孔２５ａ、２４ｂ、２５ｃから押し出されるので、これを引き抜いて使用する。図５に示した例の場合には、芯体２Ｘ（３）が貫通穴２５ｃから押し出されて、引き抜かれた場合を示している。
【００３７】
なお、貫通孔２５ａ、２５ｂ、２５ｃが設けられる部分の材質は、弾力性のある材料を用いるようにすることが好ましい。例えば、貫通孔２５ａ、２５ｂ、２５ｃは、第１板部２１と第２板部２２との対応する部分のそれぞれに溝を形成するようにして設け、この部分の第１板部２１側と第２板部２２側とのそれぞれにゴムシートを設けるようにする。これにより、貫通孔２５ａ、２５ｂ、２５ｃに挿入された替え芯としての芯体２Ｘ（１）、２Ｘ（２）、２Ｘ（３）は、ゴムシートにより挟み込まれ、容易に抜け落ちることがないように、安定して保持しておくことができる。
【００３８】
この場合、芯体２Ｘ（１）、２Ｘ（２）、２Ｘ（３）は、ゴムシートにより挟み込まれているだけなので、替え芯としての芯体２Ｘ（１）、２Ｘ（２）、２Ｘ（３）を取り出す際にも大きな力を掛ける必要はない。上述したように、貫通孔２５ａ、２５ｂ、２５ｃに装填された芯体２Ｘ（１）、２Ｘ（２）、２Ｘ（３）の後端部を、穴部２４に指先を入れて底面側に押し出すことにより、安全に取り出すこともできる。
【００３９】
また、挿入部２０の第１板部２１に設けられる穴部２６ａ、２６ｂと、第２板部２２に設けられる穴部２６ｃ、２６ｄは、電子機器３の装着穴の対応部分に設けられる係止突起と嵌合するためのものである。これにより、電子機器３の装着口に挿入部２０を挿入することにより装着されたペンホルダーユニット１が、簡単に電子機器３から外れてしまうことを防止することができる。しかし、ペンホルダーユニット１を電子機器３から取り外す場合には、ある程度の力を入れて引き出すことにより、電子機器３からペンホルダーユニット１を取り外すこともできる。
【００４０】
［実施の形態の効果］
上述した実施の形態のペンホルダーユニット１は、布製のホルダー部１０と硬質樹脂などにより形成された挿入部２０とから構成されている。このため、電子機器３に設けられた装着口に対して、挿入部２０を挿入するといった簡単な操作で、ペンホルダーユニット１を電子機器３に対して装着できる。しかも、ホルダー部１０は布製であるので、これに差し込まれた電子ペン２の側面と、ホルダー部１０の筒状部１１の内面とが密接に接触し、電子ペン２をホルダー部１０に確実に保持することができる。これにより、電子ペン２を使用していない場合であっても、電子機器３に対して電子ペン２を付随させておくことができる。従って、電子ペン２を紛失したり、電子ペン２を取り出すまでに時間がかかったりするといった不都合を生じさせることがないようにできる。
【００４１】
また、ホルダー部１０は布製であり柔軟性があるので、電子ペン２をペンホルダーユニット１に装着していない場合には容易に変形し、ペンホルダーユニット１が使用の邪魔になるといった不都合を生じさせることもない。また、電子機器３に取り付けたペンホルダーユニット１は取り外すこともできる。すなわち、ペンホルダーユニット１は、電子機器３に対して着脱可能なものである。このため、ペンホルダーユニット１の挿入部２０に対して、芯抜き部や替え芯保持部を設け、これを活用することができる。従って、電子ペン２が芯体の交換が可能なものである場合に、芯体の交換を容易に、替え芯を安全に保持する機能をペンホルダーユニット１に付加できる。
【００４２】
［変形例］
ホルダー部１０の筒状部１１の直径は全範囲に渡って同じである必要はなく、電子ペン２を差し込む側の直径は長く、差し込む側から離れるに従って直径を短くするように構成してもよい。すなわち、ホルダー部１０の筒状部１１の形状は、これに差し込まれる電子ペン２の形状に応じて、適宜の形状とすることができる。また、ホルダー部１０の筒状部１１は、１つの筒状体によって構成するのではなく、複数の筒状体を連続させるようにして構成してもよい。
【００４３】
また、ホルダー部１０の挿入部２０は、長方形状に限るものではない。電子機器３側に設けられる装着口の形状に応じて、正方形状、台形状などの適宜の形状とすることができる。
【００４４】
また、上述した実施の形態のペンホルダーユニット１の場合には、電子機器３の装着口内に設けられる係止突起に嵌合する穴部２６ａ、２６ｂを第１板部２１に設け、穴部２６ｃ、２６ｄを第２板部２２に設けたが、これに限るものではない。例えば、電子機器３の装着口内に芯抜き部を構成する穴部２３に対応する係止突起を設けたり、また、電子機器３の装着口内に替え芯格納部を構成する穴部２４に対応する係止突起を設けたりすることにより、係止突起専用の穴部を設けないようにすることもできる。
【００４５】
また、上述した実施の形態のペンホルダーユニット１の替え芯格納部は、２つの貫通孔２５ａ、２５ｂ、２５ｃを設けたが、これに限るものではない。すなわち、替え芯格納の貫通孔は、設けることが可能な範囲内で１つ以上の適宜の数とすることができる。また、芯抜き部と替え芯格納部の一方だけを挿入部２０に設けるようにすることも可能である。
【００４６】
また、電子機器３側の異なる部分に装填口を複数個設けるようにすることによって、ペンホルダーユニット１を複数個用意すれば、複数のペンホルダーユニット１を電子機器３に装着できる。また、電子機器３の使用態様に応じて、一番使いやすい場所の装填口にペンホルダーユニット１を装着して使用することもでき得る。
【００４７】
また、色違いのペンホルダーユニット１を容易しておくことにより、使用者は、自分が好みの色のペンホルダーユニット１を用いるようにすることができる。また、使用者は、その時々の気分によって色の異なるペンホルダーユニット１を用いるようにして楽しむこともできる。
【００４８】
また、上述した実施の形態では、挿入部２０は、第１板部２１と第２板部２２との２枚の板部によって構成したがこれに限るものではない。例えば、１枚の板状部材を半分に折り曲げることにより、第１板部と第２板部とを構成するようにしてももちろんよい。
【符号の説明】
【００４９】
１…ペンホルダーユニット、１０…ホルダー部、１１…筒状部、１２…被挟持部、２０…挿入部、２１…第１板部、２２…第２板部、２３…穴部（芯抜き部用）、２３ａ…金属板（芯抜き部用）、２４…穴部（替え芯格納部用）、２５ａ、２５ｂ、２５ｃ、２５ｄ…貫通孔（替え芯格納部用）、２６ａ、２６ｂ、２６ｃ、２６ｄ…穴部（係止突起用）、２…電子ペン、２Ａ…芯体、２Ｂ…ペン先、２Ａ（１）、２Ａ（２）、２Ａ（３）…替え芯、３…電子機器（タブレットＰＣ）、３１…表示装置（ＬＣＤ）、３２…位置検出センサ
【図１】
2020095312.tif 000003
【図２】
2020095312.tif 000004
【図３】
2020095312.tif 000005
【図４】
2020095312.tif 000006
【図５】
2020095312.tif 000007